(57)【特許請求の範囲】
【請求項１】
燃焼室に供給された混合気に点火する点火装置と、前記混合気を構成する吸気の湿度を検出する湿度検出部とを備えた内燃機関の制御装置であって、
バッテリ電圧が低くなるに従って、前記点火装置への通電時間を長くすることにより前記点火装置の点火エネルギーを制御するＣＰＵを備え、
前記ＣＰＵは、前記湿度検出部により検出された吸気の湿度が低くなるに従って、一燃焼行程において前記点火装置への通電時間を短くするように、前記点火装置の点火回数を減らすように、又は、前記点火装置の放電時間を短くするように補正することにより、前記点火装置の点火エネルギーを制御する内燃機関の制御装置。
【請求項２】
一つの燃焼室に対して前記点火装置が複数設けられていることを特徴とする、請求項１に記載の内燃機関の制御装置。
【請求項３】
前記複数の点火装置のうちの少なくとも一つの点火エネルギーを制御することを特徴とする、請求項２に記載の内燃機関の制御装置。
【発明の詳細な説明】
【技術分野】
【０００１】
本発明は、内燃機関の制御装置に関する。
【背景技術】
【０００２】
近年の自動車燃費規制や排出ガス規制に対応するため、燃費改善や排気エミッション改善が求められている。この燃費改善や排気エミッション改善のためには、エンジンの燃焼状態の悪化を抑制し、燃焼安定性を高めることが不可欠である。そして、エンジンの燃焼安定性を高めるには、燃焼させる筒内ガスの組成や燃焼状態に応じて、点火装置から供給する点火エネルギーを適切に調整する必要がある。
【０００３】
上記のような点火エネルギー調整の従来技術として、特許文献１では、着火に至るまでの放電期間の少なくとも一部の期間における放電電圧から抽出する所定周波数成分に基づいて、個々のサイクルでの筒内ガスの乱れ強さを示す乱れ強さ指標値や筒内の混合気の乱流状態での燃焼速度である乱流燃焼速度を推定し、その乱れ強さ指標値や乱流燃焼速度に応じて、当該サイクルにおける燃焼期間中に点火プラグに供給する点火エネルギーを調整する技術が提案されている。
【先行技術文献】
【特許文献】
【０００４】
【特許文献１】国際公開第２０１４／０８７５０４号
【発明の概要】
【発明が解決しようとする課題】
【０００５】
特許文献１に記載の従来技術では、放電電圧から抽出する所定周波数成分に基づいて推定した、筒内ガスの乱れ強さ指標値や乱流燃焼速度に基づいて、点火プラグに供給する点火エネルギーを調整することで、サイクル間の燃焼変動を抑制している。
【０００６】
ところで、吸気湿度によって、安定した燃焼に必要な点火エネルギーは変化する。吸気湿度が高いと、点火装置から供給する点火エネルギーを大きくする必要があり、逆に、吸気湿度が低いと、点火装置から供給する点火エネルギーは小さくて済む。
【０００７】
しかし、特許文献１に記載の従来技術では、吸気湿度に起因する安定した燃焼に必要な点火エネルギーの変化に対して、点火装置から供給する点火エネルギーを調整することは考慮されていない。そのため、上記の吸気湿度に起因する点火エネルギーの過不足により、燃焼状態の悪化、燃費の悪化等が発生する可能性があった。
【０００８】
本発明は、前記問題に鑑みてなされたものであって、その目的とするところは、吸気湿度に変化が生じても、燃焼状態の悪化を抑制し、燃費改善や排気エミッション改善を実現することのできる内燃機関の制御装置を提供することにある。
【課題を解決するための手段】
【０００９】
上記する課題を解決するために、本発明に係る内燃機関の制御装置は、燃焼室に供給された混合気に点火する点火装置と、前記混合気を構成する吸気の湿度を検出する湿度検出部とを備えた内燃機関の制御装置であって、前記吸気の湿度に基づいて前記点火装置の点火エネルギーを制御することを特徴とする。
【発明の効果】
【００１０】
本発明によれば、吸気の湿度を検出する湿度検出部によって得られた吸気湿度に基づいて、点火装置の点火エネルギーを調整することで、点火エネルギーの過不足による燃焼状態の悪化を抑制し、燃費改善や排気エミッション改善を実現することができる。
【００１１】
上記した以外の課題、構成及び効果は、以下の実施形態の説明により明らかにされる。
【図面の簡単な説明】
【００１２】
【図１】本発明に係る内燃機関の制御装置（ＥＣＵ）の第１実施形態が適用された内燃機関の構成を示すシステム構成図。
【図２】図１に示すＥＣＵの内部構成を示すシステムブロック図。
【図３】図１に示すＥＣＵの内部構成を概略的に示すブロック図。
【図４】図３に示す通電時間算出部で算出される点火装置への通電時間と、湿度センサで検出された吸気湿度との関係の一例を示す図。
【図５】本発明に係る内燃機関の制御装置（ＥＣＵ）の第２実施形態の内部構成を概略的に示すブロック図。
【図６】図５に示す点火回数算出部で算出される一燃焼行程における点火装置の点火回数と、湿度センサで検出された吸気湿度との関係の一例を示す図。
【図７】本発明に係る内燃機関の制御装置（ＥＣＵ）の第３実施形態の内部構成を概略的に示すブロック図。
【図８】図７に示すＥＣＵによる制御処理における、点火コイルの一次電流、二次電圧、二次電流の挙動をそれぞれ説明したタイムチャート。
【図９】図７に示す重ね放電ユニットで算出される点火装置の放電時間と、湿度センサで検出された吸気湿度との関係の一例を示す図。
【図１０】本発明に係る内燃機関の制御装置（ＥＣＵ）の第１〜第３実施形態が適用される内燃機関の他例を示すシステム構成図。
【発明を実施するための形態】
【００１３】
以下、本発明に係る内燃機関の制御装置の実施形態を図面を参照して説明する。
【００１４】
［第１実施形態］
まず、図１〜図４を参照して、本発明に係る内燃機関の制御装置の第１実施形態について説明する。
【００１５】
図１は、本発明に係る内燃機関の制御装置（ＥＣＵ）の第１実施形態が適用された内燃機関（エンジン）の構成を示すシステム構成図である。
【００１６】
図示実施形態のエンジン１００は、火花点火式燃焼を実施する自動車用のガソリンエンジンであり、吸入空気量を計測するエアフローセンサ１と、吸気湿度（吸入空気の湿度）を検出する湿度センサ（湿度検出部）３と、吸気管圧力を調整する電子制御スロットル２等が、燃焼室４に吸気を導入する吸気管１３の適宜位置に備えられている。前記湿度センサ３は、相対湿度または絶対湿度が検出可能なセンサである。また、前記湿度センサ３は、前記吸気湿度を直接計測するセンサであってもよいし、所定の物理量を検出して前記吸気湿度を推定するセンサであってもよい。また、前記湿度センサ３は、システムに応じて、燃焼室４に供給される水分量を精度良く取得できる位置に設定することが望ましい。
【００１７】
また、エンジン１００には、各気筒のシリンダ９の中（燃焼室４）に燃料を噴射する燃料噴射装置８と、燃焼室４に供給された混合気に点火すべく点火エネルギーを供給する点火装置１１が気筒ごとに備えられている。また、図示しないが、燃料噴射装置８に高圧燃料を供給するための高圧燃料ポンプが燃料配管によって燃料噴射装置８と接続されており、その燃料配管中に、燃料噴射圧力を計測するための燃料圧力センサが備えられている。
【００１８】
さらに、排気を浄化する三元触媒６と、空燃比検出器の一態様であって、三元触媒６の上流側で排気の空燃比を検出する空燃比センサ５等が、排気管１０の適宜位置に備えられている。
【００１９】
また、アクセルペダルの踏み込み量、すなわち、アクセル開度を検出するためのアクセル開度センサ７と、バッテリ電圧を計測するためのバッテリ電圧センサ１２が適宜位置に備えられるとともに、図示しないが、クランク軸には、回転角度を算出するためのクランク角度センサが備えられている。
【００２０】
前記したエアフローセンサ１、湿度センサ３、空燃比センサ５、アクセル開度センサ７、バッテリ電圧センサ１２等から得られる信号は、制御装置であるＥＣＵ（エンジンコントロールユニット）２０に送られる。
【００２１】
ＥＣＵ２０は、バッテリ電圧センサ１２の出力信号に基づいて、点火装置１１の通電時間を演算する。また、ＥＣＵ２０は、アクセル開度センサ７の出力信号に基づいて、要求トルクを演算する。すなわち、アクセル開度センサ７は、エンジン１００への要求トルクを検出する要求トルク検出センサとして用いられる。また、ＥＣＵ２０は、不図示のクランク角度センサの出力信号に基づいて、エンジン１００の回転速度を演算する。また、ＥＣＵ２０は、上記各種センサの出力信号から得られるエンジン１００の運転状態に基づき、空気流量、燃料噴射量、点火時期、燃料圧力等のエンジン１００の主要な作動量を最適に演算する。
【００２２】
ＥＣＵ２０で演算された燃料噴射量は開弁パルス信号に変換され、燃料噴射装置８に送られる。また、ＥＣＵ２０で演算された点火時期で点火されるように、点火信号が点火装置１１に送られる。また、ＥＣＵ２０で演算されたスロットル開度は、スロットル駆動信号として電子制御スロットル２に送られる。
【００２３】
吸気管１３から吸気バルブを経てシリンダ９内に流入した空気に対し、燃料噴射装置８から燃料が噴射されて、混合気が形成される。この混合気は、所定の点火時期で点火装置１１から発生される火花により爆発し、その燃焼圧によりピストンが押し下げられてエンジン１００の駆動力となる。更に、爆発後の排気ガスは、排気管１０を経て、三元触媒６に送りこまれ、その排気成分が三元触媒６内で浄化されて、外部へと排出される。
【００２４】
図２は、図１に示すＥＣＵ２０の内部構成を示すシステムブロック図である。ＥＣＵ２０は、主に、入力回路２０ａと入出力ポート２０ｂとＲＡＭ２０ｃとＲＯＭ２０ｄとＣＰＵ２０ｅとを有すると共に、点火装置１１を駆動させるための駆動信号を生成する点火装置駆動回路２０ｆを有する。
【００２５】
エアフローセンサ１、湿度センサ３、空燃比センサ５、アクセル開度センサ７、バッテリ電圧センサ１２の出力信号は、ＥＣＵ２０の入力回路２０ａに入力される。但し、入力信号はこれらだけに限られない。入力された各センサの入力信号は、入出力ポート２０ｂ内の入力ポートに送られる。入出力ポート２０ｂに送られた信号は、ＲＡＭ２０ｃに保管され、ＣＰＵ２０ｅで演算処理される。演算処理内容を記述した制御プログラムは、ＲＯＭ２０ｄに予め書き込まれている。
【００２６】
制御プログラムに従って演算された各アクチュエータの作動量を示す値は、ＲＡＭ２０ｃに保管された後、入出力ポート２０ｂ内の出力ポートに送られ、各駆動回路を経て各アクチュエータに送られるが、ここでは、点火装置１１を制御する点火装置駆動回路（以下、点火制御部と称することがある）２０ｆに送られる。
【００２７】
図３は、図１に示すＥＣＵ２０の内部構成を概略的に示すブロック図であり、ＥＣＵ２０内で実施される、点火装置１１を制御するブロックの概要を示す図である。図示実施形態のＥＣＵ２０は、主に、通電時間算出部３１と、前記点火装置駆動回路２０ｆから構成される点火制御部３２とを備え、通電時間算出部３１は、通電時間基本値算出部３３と、通電時間補正値算出部３４とを有している。
【００２８】
通電時間算出部３１では、バッテリ電圧センサ１２で計測されたバッテリ電圧情報と、湿度センサ３で検出された吸気湿度情報から、一燃焼行程における点火装置１１への通電時間を算出し、その算出結果を点火制御部３２に送る。
【００２９】
詳細には、通電時間基本値算出部３３において、バッテリ電圧情報に基づいて、通電時間のベースとなる通電時間基本値を算出する。ここでは、バッテリ電圧が低いほど、点火装置１１から供給される点火エネルギーが小さくなるため、通電時間基本値が大きくなるように算出する。また、通電時間補正値算出部３４において、吸気湿度情報に基づいて、前記通電時間基本値を補正するための通電時間補正値（点火装置１１への通電時間の補正量）を算出する。ここでは、吸気湿度が高いほど、安定した燃焼に必要な通電時間が長くなるため、通電時間補正値が大きくなるように算出する。そして、前記通電時間基本値に前記通電時間補正値を加算または積算し、通電時間算出部３１の出力となる通電時間を算出する。このような演算により、バッテリ電圧が低いほど、かつ、吸気湿度が高いほど、通電時間算出部３１で算出される点火装置１１への通電時間は長くなる。逆に言えば、バッテリ電圧が高いほど、かつ、吸気湿度が低いほど、通電時間算出部３１で算出される点火装置１１への通電時間を短くできる。
【００３０】
なお、本実施形態においては、通電時間算出部３１の出力となる通電時間は、前記通電時間基本値に前記通電時間補正値を加算または積算して算出しているが、予め設定しておいたマップから値を取得するようにしてもよい。
【００３１】
点火制御部３２では、一燃焼行程における点火装置１１からの点火時期を算出するとともに、その点火時期と通電時間算出部３１から出力される通電時間に基づいて、点火装置１１への通電開始時期と通電終了時期を算出する。
【００３２】
前記通電開始時期に点火装置１１への通電を開始し、前記通電終了時期に点火装置１１への通電を終了するように点火装置１１を制御することで、当該燃焼行程における点火装置１１から供給する点火エネルギーを調整する。
【００３３】
なお、本実施形態においては、バッテリ電圧情報と吸気湿度情報を通電時間算出部３１に入力しているが、通電時間算出部３１への入力は、これに限られるものではなく、その他の情報を入力するようにしてもよい。
【００３４】
図４は、図３に示す通電時間算出部３１で算出される点火装置１１への通電時間（設定通電時間ともいう）と、湿度センサ３で検出された吸気湿度との関係の一例を示す図である。既に述べたように、本実施形態によるＥＣＵ２０では、湿度センサ３で検出された吸気湿度に基づいて、設定通電時間を調整して、点火装置１１から供給する点火エネルギーを調整することで、安定した燃焼に必要な点火エネルギーを供給する。
【００３５】
図４に示すように、吸気湿度を考慮せずに点火装置１１への通電時間を設定する従来技術では、吸気湿度によらず安定した燃焼をさせる場合、吸気湿度が最大（ｈｍａｘ）のときにも対応できるように、設定通電時間をＴｅ（ｈｍａｘ）に設定する必要がある。
【００３６】
一方で、本実施形態によるＥＣＵ２０では、吸気湿度が最大（ｈｍａｘ）のときには設定通電時間をＴｅ（ｈｍａｘ）に設定するが、吸気湿度がｈ１（ｈ１＜ｈｍａｘ）のときには設定通電時間をＴｅ（ｈ１）（Ｔｅ（ｈ１）＜Ｔｅ（ｈｍａｘ））に設定するため、吸気湿度がｈ１のときには、従来技術と比較して、設定通電時間をＴｅ（ｈｍａｘ）−Ｔｅ（ｈ１）だけ短くすることができる。
【００３７】
これにより、吸気湿度に変化が生じても、燃焼状態を悪化させることなく、燃費や排気エミッションを改善することができる。
【００３８】
［第２実施形態］
次に、図５及び図６を参照して、本発明に係る内燃機関の制御装置の第２実施形態について説明する。なお、本第２実施形態において第１実施形態と同様の構成には同様の符号を付してその詳細な説明は省略する。
【００３９】
図５は、本発明に係る内燃機関の制御装置（ＥＣＵ）の第２実施形態の内部構成を概略的に示すブロック図であり、ＥＣＵ２０内で実施される、点火装置１１を制御するブロックの概要を示す図である。図示実施形態のＥＣＵ２０は、主に、通電時間算出部５１と、点火制御部５２と、点火回数算出部５３とを備える。
【００４０】
通電時間算出部５１では、バッテリ電圧センサ１２で計測されたバッテリ電圧情報から、一燃焼行程における点火装置１１への通電時間を算出し、その算出結果を点火制御部５２に送る。ここでは、バッテリ電圧が低いほど、点火装置１１から供給される点火エネルギーが小さくなるため、通電時間が長くなるように算出する。
【００４１】
点火回数算出部５３では、湿度センサ３で検出された吸気湿度に基づいて、一燃焼行程における点火装置１１の点火回数を算出する。ここでは、吸気湿度が高いほど、燃焼安定性が低くなるため、一燃焼行程における点火装置１１の点火回数を増やすように算出する。逆に言えば、吸気湿度が低いほど、一燃焼行程における点火装置１１の点火回数を減らすように算出する。
【００４２】
点火制御部５２では、一燃焼行程における点火装置１１からの点火時期を算出するともに、その点火時期と、通電時間算出部５１から出力される通電時間と、点火回数算出部５３から出力される点火回数に基づいて、点火装置１１への通電開始時期と通電終了時期を当該燃焼行程における点火回数分算出する。なお、この点火制御部５２では、通電時間算出部５１から出力される通電時間を点火回数算出部５３から出力される点火回数分設定してもよいし、通電時間算出部５１から出力される通電時間を点火回数算出部５３から出力される点火回数で分割して設定してもよい。
【００４３】
前記通電開始時期に点火装置１１への通電を開始し、前記通電終了時期に点火装置１１への通電を終了するように点火装置１１を制御することで、当該燃焼行程における点火装置１１から供給する点火エネルギーを調整する。
【００４４】
なお、本実施形態においては、バッテリ電圧情報を通電時間算出部５１に入力しているが、通電時間算出部５１への入力は、これに限られるものではなく、その他の情報を入力するようにしてもよい。
【００４５】
図６は、図５に示す点火回数算出部５３で算出される一燃焼行程における点火装置１１の点火回数（設定点火回数ともいう）と、湿度センサ３で検出された吸気湿度との関係の一例を示す図である。既に述べたように、本実施形態によるＥＣＵ２０では、湿度センサ３で検出された吸気湿度に基づいて、点火回数を調整して、点火装置１１から供給する点火エネルギーを調整することで、安定した燃焼に必要な点火エネルギーを供給する。
【００４６】
吸気湿度の閾値をｈ２とし、安定燃焼を確保できる一燃焼行程における点火装置１１の点火回数を、吸気湿度がｈ２未満の場合には１回、吸気湿度がｈ２以上の場合には２回とする。従来技術では、吸気湿度を考慮せずに、点火回数を１回や２回に固定しており、たとえば、点火回数を１回に固定することで、吸気湿度が高い場合に燃焼安定性が低くなったり、点火回数を２回に固定することで、吸気湿度が低い場合に過剰な点火エネルギーを供給して燃費が悪化したりする。
【００４７】
一方で、本実施形態によるＥＣＵ２０では、上記条件に合わせて、吸気湿度の閾値ｈ２を設定し、吸気湿度がｈ２未満の場合、一燃焼行程における点火装置１１の点火回数を１回とし、吸気湿度がｈ２以上の場合、一燃焼行程における点火装置１１の点火回数を２回とする。
【００４８】
これにより、吸気湿度に変化が生じても、燃焼状態を悪化させることなく、燃費や排気エミッションを改善することができる。
【００４９】
なお、上記実施形態では、一燃焼行程における点火装置１１の点火回数を１回または２回としているが、一燃焼行程における点火装置１１の点火回数の上限がｎ回（ｎ＞２）のシステムにおいては、点火回数を０〜ｎ回の範囲で設定してもよい。
【００５０】
［第３実施形態］
次に、図７〜図９を参照して、本発明に係る内燃機関の制御装置の第３実施形態について説明する。なお、本第３実施形態において第１実施形態と同様の構成には同様の符号を付してその詳細な説明は省略する。
【００５１】
図７は、本発明に係る内燃機関の制御装置（ＥＣＵ）の第３実施形態の内部構成を概略的に示すブロック図であり、ＥＣＵ２０内で実施される、点火装置１１を制御するブロックの概要を示す図である。図示実施形態のＥＣＵ２０は、主に、通電時間算出部７１と、点火制御部７２とを備えるとともに、気筒切換え回路７４と、重ね時間制御回路７５と、昇圧回路７６とで構成される重ね放電ユニット７３が接続されている。
【００５２】
ここでの点火装置１１は、点火コイル１１ｂの二次コイルに昇圧回路７６からの高圧電流を印加して着火性の向上と安定した燃焼を行うようにしている。すなわち、点火コイル１１ｂの一次コイルに流れる一次電流を遮断することで、その二次コイルに発生する数ｋＶの高電圧により点火プラグの放電間隙に放電破壊を起こし、点火コイル１１ｂの二次コイルに放電電流が流れ始めた後に、この放電状態を維持し得る放電維持電圧値以上の直流電圧（通常は５００Ｖ程度以上）をＤＣ−ＤＣコンバータによって保ちながら、ＤＣ−ＤＣコンバータからの出力電流を点火コイル放電電流に加算的に重畳するものである。
【００５３】
図７に示すように、ＥＣＵ２０の点火制御部７２からは、信号線７７を介して気筒分の点火制御信号が出力されるとともに、信号線７８を介して重ね要求信号が出力されている。重ね放電ユニット７３は、ＥＣＵ２０とは別にエンジンルーム等に設けられ、昇圧回路７６と各点火コイル１１ｂの二次コイルとが高圧線７９によって結線されており、約５００Ｖの高電圧がその二次コイルに印加されるようになっている。各点火コイル１１ｂに設けられたイグナイタ１１ａのスイッチングで、点火対象となる気筒に対して通常の点火時期で放電が開始されると、高圧線７９を介して放電状態を維持するのに必要な高圧電流を二次コイルに供給するようになっている。燃焼室４内では、点火プラグを火花放電させて混合気に着火させると共に、この通常の放電に続く、いわゆる重ね放電が実行されることとなる。
【００５４】
重ね放電ユニット７３の気筒切換え回路７４は、点火制御部７２から出力される点火制御信号に基づいて各気筒の点火時期を判断し、重ね時間制御回路７５は、点火制御部７２から出力される重ね要求信号に基づいて重ね放電に必要な重ね放電時間を制御する。気筒毎の点火制御信号と重ね要求信号の入力信号に合わせて、気筒毎に対応する点火コイル１１ｂの二次コイルに重ね放電に必要な高圧電流が供給されることで、前記した重ね放電を行うことができる。
【００５５】
図８は、図７に示すＥＣＵ２０による制御処理における、点火コイル１１ｂの一次電流、二次電圧、二次電流の挙動をそれぞれ説明したタイムチャートである。
【００５６】
点火制御信号からの出力がＯＮする時刻ｔ１で、イグナイタ１１ａのスイッチングにより点火コイル１１ｂに一次電流が流れ始める。そして、その後の時刻ｔ２で点火コイル１１ｂの一次電流を遮断すると、二次コイル側に高電圧が発生し、点火プラグで放電が開始される。また、重ね要求信号の入力情報を受けて、重ね時間制御回路７５は重ね放電を実行する時間を判断する。更に、対象気筒の点火時期を判断する気筒切換え回路７４が、点火制御信号によって昇圧回路７６で昇圧を実行する対象気筒を判断する。そして、一次電流を遮断する時刻ｔ２の前の時刻ｔ３に連動して、重ね放電に必要な高圧電流を対象となる気筒の点火コイル１１ｂの二次コイルに流し、イグナイタ１１ａの制御回路と協働して重ね放電を発生させる。
【００５７】
そして、重ね時間制御回路７５は、重ね放電を終了する時刻ｔ４で、昇圧回路７６からの高圧電流の流れを遮断して重ね放電を終了する。
【００５８】
本実施形態では、ＥＣＵ２０の点火制御部７２にて、湿度センサ３で検出された吸気湿度情報に基づいて、予め設定しておいた、吸気湿度に対する重ね放電時間ｔｗのテーブルから値を取得し、重ね要求信号を調整することで、一燃焼行程における点火装置１１の放電時間を補正する。第１実施形態で説明したように、吸気湿度が高いほど、安定した燃焼に必要な放電時間が長くなるため、放電時間が長くなるように補正する。逆に言えば、吸気湿度が低いほど、放電時間を短くするように補正する。
【００５９】
図９は、図７に示す重ね放電ユニット７３で算出される点火装置の放電時間（設定放電時間ともいう）と、湿度センサ３で検出された吸気湿度との関係の一例を示す図である。既に述べたように、本実施形態によるＥＣＵ２０では、湿度センサ３で検出された吸気湿度に基づいて、重ね要求信号を調整し、点火装置１１の設定放電時間を調整して、点火装置１１から供給する点火エネルギーを調整することで、安定した燃焼に必要な点火エネルギーを供給する。
【００６０】
第１実施形態と同様、吸気湿度によらず安定した燃焼をさせるように、設定放電時間をＴｄ（ｈｍａｘ）に設定した場合の従来技術と比較して、本実施形態では、吸気湿度がｈ３（ｈ３＜ｈｍａｘ）における設定放電時間がＴｄ（ｈ３）（Ｔｄ（ｈ３）＜Ｔｄ（ｈｍａｘ））に設定されるので、設定放電時間をＴｄ（ｈｍａｘ）−Ｔｄ（ｈ３）だけ短くすることができる。
【００６１】
これにより、上記第１及び第２実施形態と同様、吸気湿度に変化が生じても、燃焼状態を悪化させることなく、燃費や排気エミッションを改善することができる。
【００６２】
なお、上記した第１〜第３実施形態では、燃焼室４に対して一つの点火装置１１が配備される場合について説明したが（特に図１参照）、図１０に示すように、一つの燃焼室４に対して同種もしくは異種からなる複数（図示例では、二つの）点火装置１１、１１Ａを配備してもよい。なお、別個に設けられた点火装置１１Ａとしては、火花点火を行う点火装置、プラズマジェット点火を行う点火装置等の各種の点火装置を採用できる。この場合、ＥＣＵ２０は、双方の点火装置１１、１１Ａの通電時間及び点火時期を演算し、それぞれに点火信号を送るが、双方の点火装置１１、１１Ａについて、湿度センサ３で検出された吸気湿度情報に基づいて点火エネルギーを補正（制御）してもよいし、そのうちの一つの点火装置について、湿度センサ３で検出された吸気湿度情報に基づいて点火エネルギーを補正（制御）してもよい（具体的な補正方法は、上記第１〜第３実施形態を参照）。
【００６３】
なお、本発明は上記した第１〜第３実施形態に限定されるものではなく、様々な変形形態が含まれる。例えば、上記した第１〜第３実施形態は本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。また、各実施形態の構成の一部について、他の構成の追加・削除・置換をすることが可能である。
【００６４】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００６５】
１…エアフローセンサ
２…電子制御スロットル
３…湿度センサ（湿度検出部）
４…燃焼室
５…空燃比センサ
６…三元触媒
７…アクセル開度センサ
８…燃料噴射装置
９…シリンダ
１０…排気管
１１…点火装置
１２…バッテリ電圧センサ
１３…吸気管
２０…ＥＣＵ（制御装置）
２０ａ…入力回路
２０ｂ…入出力ポート
２０ｃ…ＲＡＭ
２０ｄ…ＲＯＭ
２０ｅ…ＣＰＵ
２０ｆ…点火装置駆動回路
３１、５１、７１…通電時間算出部
３２、５２、７２…点火制御部
３３…通電時間基本値算出部
３４…通電時間補正値算出部
５３…点火回数算出部
７３…重ね放電ユニット
７４…気筒切換え回路
７５…重ね時間制御回路
７６…昇圧回路
７７、７８…信号線
７９…高圧線
１００…エンジン（内燃機関）
【図１】
0006411951.tif 000002
【図２】
0006411951.tif 000003
【図３】
0006411951.tif 000004
【図４】
0006411951.tif 000005
【図５】
0006411951.tif 000006
【図６】
0006411951.tif 000007
【図７】
0006411951.tif 000008
【図８】
0006411951.tif 000009
【図９】
0006411951.tif 000010
【図１０】
0006411951.tif 000011